(57)【要約】【課題】単一の操作により遊技機の後方へおよび前方への転倒の両方を低減できる遊技機を提供する。【解決手段】所定の事象を契機に抽せんが行われ、該抽せんの結果により必要に応じて遊技媒体が払い出される遊技機１において、前記遊技機１の下部に設けられ、前記遊技機１の前面と同じ側の壁部に第１の開口部が形成され、前記前面と対向する側の壁部に第２の開口部が形成された格納部４１と、一方端から他方端に向かって延在する支持部材４０であって、該支持部材４０が前記格納部４１に格納された状態と、前記一方端および他方端のいずれか一方が前記第１の開口部から突出し、かつ前記一方端および他方端の残りの一方が前記第２の開口部から突出した状態との間を使用者の単一の操作により切替可能に設けられた支持部材４０とを設ける。【選択図】図２
2017221606.tif 000002
【特許請求の範囲】
【請求項１】
所定の事象を契機に抽せんが行われ、該抽せんの結果により必要に応じて遊技媒体が払い出される遊技機であって、
前記遊技機の下部に設けられ、前記遊技機の前面と同じ側の壁部に第１の開口部が形成され、前記前面と対向する側の壁部に第２の開口部が形成された格納部と、
一方端から他方端に向かって延在する支持部材であって、該支持部材が前記格納部に格納された状態と、前記一方端および他方端のいずれか一方が前記第１の開口部から突出し、かつ前記一方端および他方端の残りの一方が前記第２の開口部から突出した状態との間を使用者の単一の操作により切替可能に設けられた支持部材とを備えることを特徴とする、遊技機。
【請求項２】
前記支持部材の一方端および他方端の少なくとも一方には、隣の遊技機の支持部材と係合させる係合部が形成されていることを特徴とする、請求項１に記載の遊技機。
【請求項３】
前記格納部に格納された状態において、前記支持部材の下方に設けられた固定部材をさらに備え、
前記格納部に格納された状態において、前記支持部材を押し下げることにより、前記固定部材が、島に押し付けられることを特徴とする、請求項１または２に記載の遊技機。
【発明の詳細な説明】
【技術分野】
【０００１】
本発明は、遊技機に関する。
【背景技術】
【０００２】
パチンコホールやスロットホールなどの遊技施設においては、島と呼ばれる構造物に多数の遊技機（弾球遊技機や回胴式遊技機）が並べて取り付けられている。遊技機は固定枠を釘やねじで島に打ち込むことにより固定される。    
【０００３】
特許文献１には、固定枠に取り付けた転倒防止用脚を後方に回動させることにより、遊技機の転倒を防止する技術が開示されている。また特許文献２には、固定枠の下部板から転倒防止補助部を後方に突出させることにより、遊技機の転倒を防止する技術が開示されている。さらに特許文献３には、ユニットベースの下端に取り付けた転倒防止脚を後方に回動させることにより、遊技機の転倒を防止する技術が開示されている。
【先行技術文献】
【特許文献】
【０００４】
【特許文献１】特開２００７−７５４５４号公報
【特許文献２】特開２００６−１８１１１２号公報
【特許文献３】特開２００５−２４５７９４号公報
【発明の概要】
【発明が解決しようとする課題】
【０００５】
しかしながら特許文献１〜３に示されたものは、いずれも遊技機の後方への転倒を防止するためのものであり、遊技者の目につく前方への転倒をも防止、ないしは低減することまでは考慮されていない。
【０００６】
本発明は上記事情に鑑み、単一の操作により遊技機の後方へおよび前方への転倒の両方を低減できる遊技機を提供することを目的とする。
【課題を解決するための手段】
【０００７】
上記課題を解決するために、本発明によれば、所定の事象を契機に抽せんが行われ、該抽せんの結果により必要に応じて遊技媒体が払い出される遊技機であって、前記遊技機の下部に設けられ、前記遊技機の前面と同じ側の壁部に第１の開口部が形成され、前記前面と対向する側の壁部に第２の開口部が形成された格納部と、一方端から他方端に向かって延在する支持部材であって、該支持部材が前記格納部に格納された状態と、前記一方端および他方端のいずれか一方が前記第１の開口部から突出し、かつ前記一方端および他方端の残りの一方が前記第２の開口部から突出した状態との間を使用者の単一の操作により切替可能に設けられた支持部材とを備えることを特徴とする、遊技機が提供される。
【発明の効果】
【０００８】
本発明によれば、固定枠の下部の格納部から支持部材が引き出されて、支持部材の両端を遊技機の前面側と後面側にそれぞれ突出した状態にすることにより、遊技機の後方および前方への転倒の両方を低減できるようになる。
【図面の簡単な説明】
【０００９】
【図１】本発明の実施の形態に係る遊技機の一例としてのパチンコ機の外観構成を示す図である。
【図２】本発明の一実施形態に係るパチンコ機が備える固定枠の説明図である。
【図３】本発明の一実施形態に係るパチンコ機において、支持部材を格納部に格納した状態（ａ）と、支持部材を格納部から引き出した状態（ｂ）を上から見た説明図である。
【図４】本発明の一実施形態に係るパチンコ機において、支持部材を格納部から格納部から引き出した状態を横から見た説明図である。
【図５】支持部材の下方に固定部材を配置した、本発明の一実施形態に係るパチンコ機の固定枠の下部の構成を例示する図である。
【図６】支持部材の下方に固定部材を配置した本発明の一実施形態において、支持部材が上がっている状態（ａ）と、支持部材を押し下げた状態（ｂ）を示している。
【図７】両端に係合部が形成されている支持部材の平面図（ａ）および正面図（ｂ）と、島から外されたパチンコ機を複数台並べて支持部材同士を係合部によって係合させた状態の説明図（ｃ）である。
【発明を実施するための形態】
【００１０】
以下、本発明の実施の形態について、図面を参照しながら説明する。なお、本明細書および図面において、実質的に同一の機能構成を有する要素においては、同一の符号を付することにより重複説明を省略する。
【００１１】
図１は、本発明の一実施形態に係る遊技機の一例としてのパチンコ機１の外観構成を例示する図である。図１に示されるように、パチンコ機１は、固定枠１１の前面に前面ガラス１２が図１において左方向に開くように回動可能に取り付けられている。また、固定枠１１の内側には、遊技盤１３が設けられている。固定枠１１を島に取り付けることにより、パチンコ機１が島に固定される。
【００１２】
遊技盤１３には、大当たり抽せんの結果等を示す様々な演出が施された映像を表示するディスプレイ１５、遊技球の入球が大当たり抽せんの契機となる特定入賞口としての始動口１６、大当たり発生時に開放される大入賞口１７、始動口１６及び大入賞口１７に入らなかった遊技球を排出する排出口１８等が設けられている。
【００１３】
遊技球は、図１において遊技盤１３の左下部分から、遊技盤１３の左側面に沿って発射される。発射された遊技球は、遊技盤１３の上部に達した後、釘２０や風車２１等に当たりながら落下し、始動口１６または大入賞口１７の何れかに入るか、何れにも入らない場合には排出口１８から排出される。
【００１４】
遊技盤１３の下方には、パチンコ機１から払い出される遊技球を貯留する上受皿２５及び下受皿２６が配置されている。上受皿２５には、玉貸し／返却ボタン３０、十字キー３１、操作ボタン３２が設けられている。また、下受皿２６の横には、遊技球を発射するための操作ハンドル３３が回動可能に設けられている。
【００１５】
パチンコ機１では、遊技者が玉貸しボタン３０を押下すると、遊技球が上受皿２５に貸与される。遊技者は、操作ハンドル３３を操作することで、貸与された遊技球を遊技盤１３に打ち出すことができる。打ち出された遊技球が始動口１６に入る等の所定の事象を契機にパチンコ機１の内部において大当たり抽せんが行われる。
【００１６】
大当たり抽せんの結果は、ディスプレイ１５に様々な演出を伴って表示される。大当たりの場合には、例えばディスプレイ１５に表示される複数の図柄のうち、停止した全ての図柄が揃うことで、遊技者に大当たりしたことが告知され、大当たり状態が発生する。ディスプレイ１５に表示される様々な演出において、例えば十字キー３１や操作ボタン３２を用いた遊技者による操作が促される場合もある。
【００１７】
図２は、本発明の実施の形態に係るパチンコ機１が備える固定枠１１の構成を例示する図である。図３（ａ）は、本発明の一実施形態に係るパチンコ機１において、支持部材４０を格納部４１に格納した状態を上から見た説明図である。図３（ｂ）は、本発明の一実施形態に係るパチンコ機１において、支持部材４０を格納部４１から引き出した状態を上から見た説明図である。図４は、本発明の一実施形態に係るパチンコ機１において、支持部材４０を格納部４１から引き出した状態を横から見た説明図である。
【００１８】
図２に示すように、固定枠１１の下部には、支持部材４０を格納する格納部４１が形成されている。支持部材４０は、例えば一方端から他方端に向かって延在する、固定枠１１の横幅よりも短い長さの棒形状を有しており、支持部材４０の中央にはネジ４２が上下に貫通している。ネジ４２の先端（下端）は、固定枠１１の下面パネル４３に取り付けられており、支持部材４０はネジ４２を中心にして水平面内において回転自在になっている。このため、図２、図３（ａ）に示すように、支持部材４０を固定枠１１の横幅方向と平行となる姿勢にした場合は、支持部材４０は格納部４１の内部に格納された状態となる。
【００１９】
また、ネジ４２を中心にして支持部材４０を回転させることにより、図３（ｂ）、図４に示すように、使用者の単一の操作により、支持部材４０の両端を格納部４１の内部から引き出すことができる。図３（ｂ）、図４は、支持部材４０を固定枠１１の横幅方向と直角となる姿勢にして、支持部材４０の両端を固定枠１１の前面側と後面側にそれぞれ引き出した状態を示している。
【００２０】
格納部４１の前面側の壁部（パチンコ機１の前面と同じ側の壁部）は、固定枠１１の下部前面パネル４５で塞がれているが、下部前面パネル４５には、支持部材４０の一方端を、パチンコ機１の前面側に引き出すために第１の開口部としてスリット４６が設けられている。なお、本実施形態においては格納部４１の後面部（パチンコ機１の前面と対向する側の壁部）は開放されている。即ち、格納部４１の後面側には第２の開口部が形成されており、これにより支持部材４０の他方端は、支障なくパチンコ機１の後面側に引き出すことができる。
【００２１】
以上のように構成された本発明の一実施形態に係る遊技機の一例としてのパチンコ機１は、島に取り付けられた状態では、図２、図３（ａ）に示すように、支持部材４０を格納部４１の内部に格納しておくことにより、支持部材４０は邪魔とならない。
【００２２】
一方、島からパチンコ機１を取り外した場合は、図３（ｂ）、図４に示すように、支持部材４０の両端を固定枠１１の前面側と後面側にそれぞれ引き出した状態にする。これにより、支持部材４０は固定枠１１の下面パネル４３と十字に直行した姿勢となり、パチンコ機１の下部において、支持部材４０の一方端および他方端のいずれか一方がスリット４６から突出し、一方端および他方端の残りの一方が格納部４１後面側の開放された部分から突出した状態となる。その結果、パチンコ機１の後方および前方への転倒の両方を低減できるようになる。  
【００２３】
以上、本発明の好適な実施形態について説明したが、本発明はかかる例に限定されない。当業者であれば、特許請求の範囲に記載された技術的思想の範疇内において、各種の変更例または修正例に想到しうることは明らかであり、それらについても当然に本発明の技術的範囲に属するものと了解される。
【００２４】
例えば、支持部材４０を格納部４１から引き出す場合、手や適当な治具を使ってネジ４２を中心に支持部材４０を回転させて引き出すこともできるが、支持部材４０を格納部４１に格納した状態ではロックがかかって支持部材４０は格納部４１に格納された状態を保ち、ネジ４２を上に持ち上げるとロックが外れて、バネの力で９０°支持部材４０が回転し、支持部材４０が十字の位置に飛び出すような機構としても良い。
【００２５】
図５は、支持部材４０の下方に固定部材５０を配置した、本発明の実施の形態に係るパチンコ機１の固定枠１１の下部の構成を例示する図である。図６は、支持部材４０の下方に固定部材５０を配置した本発明の実施の形態において、支持部材４０が上がっている状態（ａ）と、支持部材４０を押し下げた状態（ｂ）を示している。
【００２６】
これら図５、図６に示す実施の形態では、固定枠１１の下面パネル４３に左右の貫通孔５１が設けられており、各貫通孔５１に固定部材５０が挿入されている。これにより、格納部４１の内部に格納されている状態において、支持部材４０の両端部の下方に固定部材５０がそれぞれ配置された構成になっている。固定部材５０は例えばゴム、弾性プラスチックなどの弾性材料から成る。
【００２７】
これら図５、図６に示す実施の形態においても、先に説明した実施の形態と同様に、パチンコ機１を島２に取り付けている場合は、図２、図３（ａ）で説明したように、支持部材４０を格納部４１の内部に格納しておくことにより、支持部材４０が邪魔とならない状態とすることができる。また、島２からパチンコ機１を取り外した場合は、図３（ｂ）、図４で説明したように、支持部材４０の両端が固定枠１１の前面側と後面側にそれぞれ引き出された状態とすることにより、パチンコ機１の後方および前方への転倒の両方を低減できるようになる。
【００２８】
加えて、これら図５、図６に示す実施の形態によれば、パチンコ機１をパチンコホールの島２に取り付ける場合に、図６（ｂ）に示したように、支持部材４０の中央に取り付けられたネジ４２を回して支持部材４０を押し下げることにより、支持部材４０の両端部下方の固定部材５０を、固定枠１１の下面パネル４３から下方に突出させることができる。これにより、パチンコ機１の固定枠１１は、島２の構造物に対して上下に突っ張った状態となり、パチンコ機１を島２に固定することができる。
【００２９】
すなわち、従来一般的には、パチンコ機１は島２に対して固定枠１１を釘やねじで打ち込むことにより固定されていた。しかしながら、釘やねじを打ち込んだ場合、島２や固定枠１１を傷つけることとなってしまい、繰り返し使用することが困難になる。また、取り付けや取り外す作業も煩雑である。
【００３０】
しかるに、これら図５、図６に示す実施の形態によれば、支持部材４０を押し下げて固定枠１１の下面パネル４３から固定部材５０を下方に突出させることにより、釘やねじを打ち込むことなくパチンコ機１の固定枠１１を島２に固定することができるので、島２や固定枠１１を傷つけることが無く、繰り返し使用が容易となる。また、パチンコ機１を島２に固定する場合は、支持部材４０を押し下げるようにネジ４２を回し、また、パチンコ機１を島２から取り外す場合は、逆に支持部材４０が持ち上がるようにネジ４２を回せばよく、取り付けや取り外す作業が簡単であり、パチンコ機１の設置や整備調整も容易である。なお、固定部材５０をゴムや弾性プラスチックなどの弾性材料で構成することにより、島２に固定されたパチンコ機１の位置ずれを抑制でき、しっかりと固定できるようになる。
【００３１】
次に、図７は、両端に係合部５５，５６が形成されている支持部材４０の平面図（ａ）と正面図（ｂ）と、島２から外されたパチンコ機１を複数台並べて支持部材４０同士を係合部５５，５６によって係合させた状態の説明図（ｃ）である。  
【００３２】
この実施の形態では、支持部材４０の両端に係合部５５，５６が形成されている。一方端の係合部５５は穴であり、他方端の係合部５６は上向きに突出する突起である。なお、図７（ａ）、（ｂ）中において、符号５７は、支持部材４０の中央に形成された、ネジ４２を通すための開口部を示している。
【００３３】
この図７（ａ）、（ｂ）に示す支持部材４０を備える実施の形態に係るパチンコ機１においても、先に説明した実施の形態と同様に、パチンコ機１を島２に取り付けている場合は、図２、図３（ａ）で説明したように、支持部材４０を格納部４１の内部に格納しておくことにより、支持部材４０が邪魔とならない状態とすることができる。また、島２からパチンコ機１を取り外した場合は、図３（ｂ）、図４で説明したように、支持部材４０の両端が固定枠１１の前面側と後面側にそれぞれ引き出された状態とすることにより、パチンコ機１の後方および前方への転倒の両方を低減できるようになる。
【００３４】
加えて、この図７（ａ）、（ｂ）に示す支持部材４０を備える実施の形態に係るパチンコ機１によれば、例えば、図７（ｃ）に示すように、パチンコ機１を島２から外して複数台並べた状態において、隣接する２つのパチンコ機１からそれぞれ引き出した支持部材４０の一方端の係合部５５に、他方端の係合部５６を下から差し込むことにより、隣接する２つのパチンコ機１からそれぞれ引き出した支持部材４０の端部同士を係合させることができる。このように、複数台並べられたパチンコ機１を支持部材４０を介して接続して一体化させて整列させることにより、島２から外された複数台のパチンコ機１を、より確実に転倒させずに保持できるようになる。なお、この実施の形態では支持部材４０の一方端に係合部５５を設け、他方端に係合部５６を設けることとしたが、複数台のパチンコ機１を並べる場合の両端に配置される２台のパチンコ機１においては、係合部を支持部材４０の一方端および他方端の双方に設けていなくても良い。この場合、例えば両端の２台のパチンコ機１のうち、１台のパチンコ機１の支持部材４０に係合部５５を、残りの１台のパチンコ機１の支持部材４０に係合部５６を設け、その他のパチンコ機１の支持部材４０にそれぞれ係合部５５，５６を設ければ、各パチンコ機１の支持部材４０の端部同士を係合させることが可能である。また、この実施形態では係合部５５を穴とし、係合部５６を突起として各係合部を係合させることとしたが、各係合部同士を係合させる構造はそのような構造に限定されない。係合部５５，５６は格納部４１への支持部材４０の格納が阻害されない形状や構造となっていれば良い。即ち、前述の複数台のパチンコ機１を整列させた際の転倒抑制の効果を享受するためには、支持部材４０の一方端および他方端の少なくとも一方に、隣のパチンコ機１の支持部材４０と係合する係合部が設けられていれば良い。
【００３５】
なお、本発明の遊技機はいわゆるハネモノと呼ばれるパチンコ機にも同様に適用できる。また、パチンコ機に限らず、スロットマシンや、その他の遊技機についても同様に適用される。
【符号の説明】
【００３６】
１  パチンコ機（遊技機）
４０  支持部材
４１  格納部
【図１】
2017221606.tif 000003
【図２】
2017221606.tif 000004
【図３】
2017221606.tif 000005
【図４】
2017221606.tif 000006
【図５】
2017221606.tif 000007
【図６】
2017221606.tif 000008
【図７】
2017221606.tif 000009